(57)【要約】【課題】  近時のスイッチの超小形化傾向に適応して、それに内装するばねも小形化が必要であるが、設定値以上の均等で強い弾力を保有していること、圧縮圧力及び圧縮寸法が均等であること、強い耐久性を備えていること等の要件を充足できるばねの提供が困難であり、それがスイッチの小形化促進を妨げる課題であった。【解決手段】幅広なＵ形ばね片及びホルダーの平面中央部にプッシュピンがその垂直押下作用時に自在に出入できる空間（逃げ孔）を形成することを発明し、これによって限られた狭いスペース内に、上記のばね要件を充足できるＵ形接点ばね片ユニットとプッシュピンを設置可能とすると共に、両者で正確にスイッチ作用できるようにして、課題を解決した。【選択図】図３
2005032614.tif 000002
【特許請求の範囲】
【請求項１】
支持部とＵ形部と先端を接点とした接点部からなる２枚のＵ形の接点ばね片の幅広な支持部と接点部にプッシュピン挿通用の空間を形成すると共に、内側接点ばね片の接点を外側接点ばね片の接点の前方にずらして重合して、２重接点ばね片を設け、
該２重接点ばね片の支持部を固着する取付部と、Ｕ形部及び接点部をホールドするＵ形部ホルダー及び接点部ホルダーからなり、Ｕ形部ホルダーの両側面に支軸を突設すると共に、幅広な取付部及び接点部ホルダーに上記２重接点ばね片の空間と合致する空間を形成したばね片ホルダーを設け、
該ばね片ホルダーの内側に上記２重接点ばね片を、その支持部と接点部を内方に圧縮した蓄力状態で嵌合すると共に支持部を取付部にかしめ付等の固着手段で一体的に固着して接点ばね片ユニットを設け、
円柱状のピンの下部から直角に突起部を突設したプッシュピンを設け、
内部底面に固定設定を備えたケース内に上記接点ばね片ユニットを挿入し、その支軸をケース若しくはカバーの軸孔若しくは凹部に枢支して設定角度回動自在に取付け、内側接点ばね片の接点を一方の固定接点に接触（ＯＮ）すると共に外側接点ばね片の接点を他方の固定接点と離隔（ＯＦＦ）相対して備え、
該接点ばね片ユニットの取付部上にプッシュピンを、そのピンの下端部及び突起部を空間中心に挿入すると共に突起部を２重接点ばね片の橋状部に裁置し、
該プッシュピンの上方からカバーを、その中心孔にプッシュピンのピンを挿通すると共に左右の係合片をケースの係合突起に係合して套嵌着して、プッシュピンを接点ばね片ユニットとカバーの天板の間に介在設置すると共に該プッシュピンを内側接点ばね片の弾力で上方付勢して天板下面に圧接すると同時にピンを中心孔から天板上に突出して備えたものである、
プッシュピンスイッチ。
【発明の詳細な説明】
【技術分野】
【０００１】
ケース外に突出した１本（個）のプッシュピン（若しくは単にピン）を垂直押下することによってスイッチＯＮ、ＯＦＦ（電気回路の開閉）を行うプッシュピンスイッチに係る。
【背景技術】
【０００２】
現在、各種の電気電子機器装置に使用する各種小形スイッチにおいて、最もコンパクトでスイッチ作用が高精度であり、かつ耐久性に優れたスイッチの一として所謂プッシュピンスイッチ（或いは単にピンスイッチ）が多用されている。
なお、プッシュピンスイッチにはピンが１本のもの（例、本発明）及び２本以上のものがある。
【０００３】
該プッシュピンスイッチは全てばねの弾力で常時ピンを上方付勢してその先端をケース外に突出して備え、該ばねを圧縮してピンを押下することによってスイッチＯＮし、押圧を解放しばねを弾発復元してスイッチＯＦＦするように構成したものであるが、ばねとしてはメーカー等によって板ばね、コイルばね、線巻きばね等の各種のばねが使用されている。
【０００４】
然して、プッシュピンスイッチの性能及び精度は一番に該ばねの性能、精度にかかっており従って、ばねは主として下記の条件を備えていることが要求されている。
1.近時のように極めて小形化（数ミリ単位）されてもスイッチ作用に必要な設定値以上の均等で強い弾力を、各スイッチ毎のバラつきなく保有していること。
2.スイッチ作用時のばねの圧縮圧力及び圧縮寸法が、スイッチ毎のバラつきなく均等であること。
3.そして、数１０万回以上のスイッチ作用に耐久できる耐久性を備えていること。
【０００５】
出願人は先に、プッシュレバースイッチ、プッシュピンスイッチに使用するばねとして、接点ばね片をＵ形に曲成してなるＵ形接点ばね片を使用した各種スイッチを開発してきたが、特に近時のスイッチの超小形化傾向（ケース外形の縦、横、高さの全部若しくは一部が１０ｍｍ以下）に適応して、それに内装するＵ形接点ばね片も小形化する必要に迫られているが、上記のばね要件を充足できるようなばねの提供が困難になりつつあり、それがスイッチの小形化促進を妨げる要点となり、その解決が求められてきた。
【特許文献２】特開平５−２１１０２１
【特許文献１】特願２００３−１４３３４２
【発明の開示】
【発明が解決しようとする課題】
【０００６】
上記のスイッチ用のばねの要件を備えたプッシュピンスイッチ用のばねを開発することが目的であり、そのために極めて小形に形成しても弾力の強い板幅の広いばね片からなるＵ形ばね片をケースの限られたスペースの中に如何にして設置し、また、それをピンでどのようにして圧縮してスイッチ作用を行うように構造するかが課題となり、
【０００７】
本発明はその課題を解決する手段として、幅広なＵ形ばね片及びばね片ホルダーの平面中央部にプッシュピンがその垂直押下作用時に自在に出入できる空間（逃げ孔）を形成することを発明し、これによって限られた狭いスペース内にＵ形接点ばね片ユニットとプッシュピンを設置可能とすると共に、両者で正確にスイッチ作用できるようにした点である。
【課題を解決するための手段】
【０００８】
支持部とＵ形部と先端を接点とした接点部からなる２枚のＵ形の接点ばね片の幅広な支持部と接点部にプッシュピン挿通用の空間を形成すると共に、内側接点ばね片の接点を外側接点ばね片の接点の前方にずらして重合して、２重接点ばね片を設け、
【０００９】
該２重接点ばね片の支持部を固着する取付部と、Ｕ形部及び接点部をホールドするＵ形部ホルダー及び接点部ホルダーからなり、Ｕ形部ホルダーの両側面に支軸を突設すると共に、幅広な取付部及び接点部ホルダーに上記２重接点ばね片の空間と合致する空間を形成したばね片ホルダーを設け、
【００１０】
該ばね片ホルダーの内側に上記２重接点ばね片を、その支持部と接点部を内方に圧縮した蓄力状態で嵌合すると共に支持部を取付部にかしめ付等の固着手段で一体的に固着して接点ばね片ユニットを設け、
【００１１】
円柱状のピンの下部から直角に突起部を突設したプッシュピンを設け、
【００１２】
内部底面に固定設定を備えたケース内に上記接点ばね片ユニットを挿入し、その支軸をケース若しくはカバーの軸孔若しくは凹部に枢支して設定角度回動自在に取付け、内側接点ばね片の接点を一方の固定接点に接触（ＯＮ）すると共に外側接点ばね片の接点を他方の固定接点と離隔（ＯＦＦ）相対して備え、
【００１３】
該接点ばね片ユニットの取付部上にプッシュピンを、そのピンの下端部及び突起部を空間中心に挿入すると共に突起部を２重接点ばね片の橋状部に裁置し、
【００１４】
該プッシュピンの上方からカバーを、その中心孔にプッシュピンのピンを挿通すると共に左右の係合片をケースの係合突起に係合して套嵌着して、プッシュピンを接点ばね片ユニットとカバーの天板の間に介在設置すると共に該プッシュピンを内側接点ばね片の弾力で上方付勢して天板下面に圧接すると同時にピンを中心孔から天板上に突出して備えたものであるプッシュピンスイッチによって、課題を解決したものである。
【発明の効果】
【００１５】
本発明は、Ｕ形ばね片を２重にした上に、該Ｕ形ばね片を圧縮した状態でばね片ホルダーに一体的に固着して接点ばね片ユニットを設け、該接点ばね片ユニットを、ケース内に装着するようにしたため、接点ばね片にスイッチ毎のバラつきのない強い弾力を保有せしめると共に、常時のばね弾力をスイッチ毎のバラつきのない均等にでき、よって、均等な圧接力で一方の接点が一方の固定接点に圧接した状態で、均等な設定押下力でピンが均等寸法垂直降下して他方の接点を他方の固定接点に均等な圧接力で接触（スイッチＯＮ）することができ、また、接触後の設定寸法押下で両接点を圧接したままこじることによりクリーニング作用を行うことができるなど、スイッチ作用の必要要件を全て実現できる優れた特徴がある。
【００１６】
小形であり乍らスイッチ作用の必要要件に適合した接点ばね片ユニットを開発したことにより、プッシュピンスイッチの更なる小形化、高精度化及び耐久性の向上を可能とした特徴がある。
【発明を実施するための最良の形態】
【００１７】
プッシュピンスイッチを、その性能を低下することなく小形化するという目的を、幅広なＵ形ばね片及びばね片ホルダーにピンを挿通できる空間を形成することによって実現した。
【実施例】
【００１８】
図１は本発明実施例プッシュピンスイッチの１実施例の正面図、平面図、及び右側面図、図２は図１のＡ−Ａ線矢視断面図、図３は  図１のＢ−Ｂ線矢視断面図、図４は図３の作用説明図で、プッシュピンを押下してスイッチＯＮした状態の図、図５は図３の作用説明図で、図３のプッシュピンを下限まで押下した状態の図、図６は  接点ばね片ユニットの正面図、平面図、底面図、及び左側面図、図７は図６のＣ−Ｃ線矢視拡大断面図、図８は図６のＤ−Ｄ線矢視拡大断面図、図９は２重接点ばね片の正面図、平面図、底面図、及び左側面図、図１０は図９のＥ−Ｅ線矢視断面図、図１１はばね片ホルダーの正面図、平面図、底面図、及び左側面図、図１２は図１１のＦ−Ｆ線矢視断面図、図１３はプッシュピンの正面図、平面図、及び底面図、図１４はケースの正面図、平面図、底面図、及び左側面図、図１５は図１４のＧ−Ｇ線矢視断面図、図１６は図１４のＨ−Ｈ線矢視断面図、図１７はカバーの正面図、平面図、底面図、及び右側面図、図１８は図１７のＩ−Ｉ線矢視断面図、図１９は図１７のＪ−Ｊ線矢視断面図である。
【００１９】
図面において、支持部２とＵ形部３と先端を接点a、bとした接点部４からなる２枚のＵ形の接点ばね片１a、１bの幅広な支持部２と接点部４にプッシュピン１０挿通用の空間１７を形成すると共に、内側接点ばね片１bの接点bを外側接点ばね片１aの接点aの前方にずらして重合して、２重接点ばね片１を設け、
【００２０】
該２重接点ばね片１の支持部２を固着する取付部６と、Ｕ形部３及び接点部４をホールドするＵ形部ホルダー７及び接点部ホルダー８からなり、Ｕ形部ホルダー７の両側面に支軸９を突設すると共に、幅広な取付部６及び接点部ホルダー８に上記２重接点ばね片１の空間１７と合致する空間１８を形成したばね片ホルダー５を設け、
【００２１】
該ばね片ホルダー５の内側に上記２重接点ばね片１を、その支持部２と接点部４を内方に圧縮した蓄力状態で嵌合すると共に支持部２を取付部６にかしめ片２aのかしめ付け等の固着手段で一体的に固着して接点ばね片ユニット２０を設け、
【００２２】
円柱状のピン１１の下部から直角に突起部１２を突設したプッシュピン１０を設け、
【００２３】
内部底面に固定設定１５、１６を備えたケース１３内に上記接点ばね片ユニット２０を挿入し、その支軸９をケース１３若しくはカバー２１の軸孔１４若しくは凹部に枢支して設定角度回動自在に取付け、内側接点ばね片１bの接点bを一方の固定接点１５に接触（ＯＮ）すると共に外側接点ばね片1aの接点aを他方の固定接点１６に離隔（ＯＦＦ）相対して備え、
【００２４】
該接点ばね片ユニット２０の取付部６上にプッシュピン１０を、そのピン１１の下端部及び突起部１２を空間１７、１８の中心に挿入すると共に突起部１２を２重接点ばね片１の橋状部１９に裁置し、
【００２５】
該プッシュピン１０の上方からカバー２１を、その中心孔２３にプッシュピン１０のピン１１を挿通すると共に左右の係合片２４をケース１３の係合突起２５に係合して套嵌着して、プッシュピン１０を接点ばね片ユニット２０とカバー２１の天板２２の間に介在設置すると共に該プッシュピン１０を内側接点ばね片１bの弾力で上方付勢して天板２２下面に圧接すると同時にピン１０を中心孔２３から天板２２上に突出して備えた、プッシュピンスイッチである。
【産業上の利用可能性】
【００２６】
本発明の接点ばね片ユニットは、ピンが１本以上複数本のプッシュピンスイッチや、プッシュレバースイッチ、その他のスイッチ用のばねとして、その押下圧縮手段を変更するだけで広く汎用することができる。
【図面の簡単な説明】
【００２７】
【図１】本発明プッシュピンスイッチの１実施例の正面図、平面図、及び右側面図。
【図２】図１のＡ−Ａ線矢視断面図。
【図３】図１のＢ−Ｂ線矢視断面図。
【図４】図３の作用説明図で、プッシュピンを押下してスイッチＯＮした状態の図。
【図５】図３の作用説明図で、図３のプッシュピンを下限まで押下した状態の図。
【図６】接点ばね片ユニットの正面図、平面図、底面図、及び左側面図。
【図７】図６のＣ−Ｃ線矢視拡大断面図。
【図８】図６のＤ−Ｄ線矢視拡大断面図。
【図９】２重接点ばね片の正面図、平面図、底面図、及び左側面図。
【図１０】図９のＥ−Ｅ線矢視断面図。
【図１１】ばね片ホルダーの正面図、平面図、底面図、及び左側面図。
【図１２】図１１のＦ−Ｆ線矢視断面図。
【図１３】プッシュピンの正面図、平面図、及び底面図。
【図１４】ケースの正面図、平面図、底面図、及び左側面図。
【図１５】図１４のＧ−Ｇ線矢視断面図。
【図１６】図１４のＨ−Ｈ線矢視断面図。
【図１７】カバーの正面図、平面図、底面図、及び右側面図。
【図１８】図１７のＩ−Ｉ線矢視断面図。
【図１９】図１７のＪ−Ｊ線矢視断面図。
【符号の説明】
【００２８】
１      ２重接点ばね片
１ａ    外側接点ばね片
ａ      接点
１b      内側接点ばね片
ｂ      接点
２      支持部
２ａ    かしめ片
３      Ｕ形部
４      接点部
５      ばね片ホルダー
６      取付部
７      Ｕ形部ホルダー
８      接点部ホルダー
９      支軸
１０    プッシュピン
１１    ピン
１２    突起部
１３    ケース
１４    軸孔
１５    固定接点
１６    固定接点
１７    空間(２重接点ばね片)
１８    空間(ばね片ホルダー)
１９    橋状部
２０    接点ばね片ユニット
２１    カバー
２２    天板
２３    中心孔  
２４    係合片
２５    係合突起
【図１】
2005032614.tif 000003
【図２】
2005032614.tif 000004
【図３】
2005032614.tif 000005
【図４】
2005032614.tif 000006
【図５】
2005032614.tif 000007
【図６】
2005032614.tif 000008
【図７】
2005032614.tif 000009
【図８】
2005032614.tif 000010
【図９】
2005032614.tif 000011
【図１０】
2005032614.tif 000012
【図１１】
2005032614.tif 000013
【図１２】
2005032614.tif 000014
【図１３】
2005032614.tif 000015
【図１４】
2005032614.tif 000016
【図１５】
2005032614.tif 000017
【図１６】
2005032614.tif 000018
【図１７】
2005032614.tif 000019
【図１８】
2005032614.tif 000020
【図１９】
2005032614.tif 000021